(57)【要約】      （修正有）【課題】比較的に安価で工期も短く、しかも耐震性および耐久性にすぐれた階段を提供する。【解決手段】方形網目を有する溶接金網製の前面網体２、背面網体３、両側面網体４および蓋網体６を有する底なし直方体形状のかご１を蓋網体が踏み面となるように傾斜地の上に複数個連設し、かごの内部に中詰め材を充填して階段とする。蓋網体の網目を構成する互いに直交して平行配列した２種の金属線のうち、前面網体および背面網体に接する蓋網体縁部に平行に伸びる金属線が蓋網体の外側に位置し、そしてこれと直交する他の金属線が蓋網体の内側に位置するように配置されている。【選択図】図１
0003195793.tif 000002
【実用新案登録請求の範囲】
【請求項１】
方形網目を有する溶接金網製の前面網体、背面網体、両側面網体および蓋網体を有する底なし直方体形状のかごを前記蓋網体が踏み面となるように傾斜地の上に複数個連設し、前記かごの内部に中詰め材を充填してなる階段であって、前記蓋網体の網目を構成する互いに直交して平行配列した２種の金属線のうち、前面網体および背面網体に接する蓋網体縁部に平行に伸びる金属線が蓋網体の外側に位置し、そしてこれと直交する他の金属線が蓋網体の内側に位置するように配置されている階段。
【請求項２】
前記平行に伸びる金属線が１５〜４０ｍｍの間隔で配列され、そして前記他の金属線が５０〜１５０ｍｍの間隔で配列されている請求項１記載の階段。
【請求項３】
網目の小さな金網または植生シートを前記前面網体、背面網体および両側面網体の内側に配置してある請求項１または２記載の階段。
【請求項４】
前面網体、背面網体および両側面網体は、１枚の金網を折り曲げて一体に形成し、折り曲げた両先端を背面網体の側で連結したものである請求項１〜３のいずれか１項に記載の階段。
【請求項５】
前記蓋網体の前記他の金属線を前記前面網体側の縁部から突出させそしてその突出させた金属線先端を内側に折り曲げてＵ字形のフックを形成させて、前記前面網体の上縁部に前記フックを係合させるようにし、さらに前記他の金属線を前記背面網体側の縁部から突出させ、そしてその突出させた金属線先端を下向きに折り曲げて、折り曲げた先端が前記背面網体の上縁部を越えて背面網体外側下方に位置するようにして、そしてさらに背面網体の上縁部と前記蓋網体の前記背面網体側の縁部とを金属線または連結用コイルにより連結してある請求項１〜４のいずれか１項に記載の階段。
【考案の詳細な説明】
【技術分野】
【０００１】  本考案は、階段、特に津波が発生した時に高所に避難するために設置するのに適した避難用階段に関する。
【背景技術】
【０００２】  従来、津波が発生したときに、海面から高い位置にある高所、高台に避難するための階段としては、コンクリートを打設した階段が広く知られている。また溶接金網製の箱体を用いる階段が知られている。
【先行技術文献】
【特許文献】
【０００３】
【特許文献１】特開２００７−２２２０７５号公報（請求項４）
【考案の概要】
【考案が解決しようとする課題】
【０００４】  しかし上記のコンクリート製の階段は工費が比較的高く、工期も長期化しやすく、特に高い耐震性が要求される場合はその傾向が大きくなる。また上記の金網製の箱体では、階段を設置する地盤部分が傾斜しているので、全階段の荷重および階段に加わる外力のかなりの部分が階段の最下段にかかることになり、したがって強度を持たせる構造のための費用が高くなる傾向がある。
本考案の課題は、上記の従来技術の問題を解決して、比較的に安価で工期も短く、しかも耐震性および耐久性にすぐれた階段を提供することである。
【課題を解決するための手段】
【０００５】  本考案は、方形網目を有する溶接金網製の前面網体、背面網体、両側面網体および蓋網体を有する底なし直方体形状のかごを前記蓋網体が踏み面となるように傾斜地の上に複数個連設し、前記かごの内部に中詰め材を充填してなる階段であって、前記蓋網体の網目を構成する互いに直交して平行配列した２種の金属線のうち、前面網体および背面網体に接する蓋網体縁部に平行に伸びる金属線が蓋網体の外側に位置し、そしてこれと直交する他の金属線が蓋網体の内側に位置するように配置されている階段である。
【考案の効果】
【０００６】  本考案の階段によれば、構造上、屈撓性に優れ外力が働いても破損することはないので耐震性にすぐれており、高い耐久性が得られる。また蓋網体の外側（上面）の金属線を階段昇降方向とは直角な方向に伸びるように配置しているので踏み面で滑りにくく、階段利用時の滑り事故も生じにくい。さらに本考案の階段は透水性に優れるので雨が降っても踏み面に水が溜まることがないのでさらに滑り事故が生じにくい。
また本考案の階段は現地での組立てが容易に行えるので施工工事が簡単であり、比較的に安価で工期も短くすることができる。
【図面の簡単な説明】
【０００７】
【図１】  本考案の１実施例を示す斜視図。
【図２】  図１の蓋網体とかご胴部を分離して示す斜視図。
【図３】  図１の実施例を示す側面図。
【図４】  本考案のかご胴部を示す斜視図。
【図５】  図４の要部を拡大した斜視図。
【図６】  本考案の実施例の整地状態を示す斜視図。
【図７】  本考案の実施例を示す斜視図。
【図８】  本考案の実施例を模式的に示す側面図。
【図９】  本考案の実施例の工程を示す斜視図。
【図１０】  本考案の実施例の工程を示す斜視図。
【図１１】  本考案の他の実施例を示す斜視図。
【図１２】  図１１の実施例を示す平面図。
【考案を実施するための形態】
【０００８】  以下本考案について例をあげて詳しく説明する。
本考案の階段は基本的に複数個の金網製かごからなる。かごは、それぞれ四角形の前面網体、背面網体、両側面網体および蓋網体を備え、底のない直方体の形状を有する。各網体としてはそれぞれ平行に引き揃えた２組の金属線を互いに直交するように合わせてその交差部分を溶接して方形網目を形成した溶接金網が用いられる。この金属線としては亜鉛めっき鉄線および亜鉛アルミニウム合金めっき鉄線のような合金めっき鉄線、ステンレス線などであって、直径が４〜６ｍｍのものが好適に使用される。この溶接金網の方形網目の寸法としては、前面網体、背面網体および両側面網体では「５０〜１５０ｍｍ」×「５０〜１５０ｍｍ」のものが好適に使用される。蓋網体については後述する。
【０００９】  図１、２に示すように、かご１は、前面網体２、背面網体３および両側面網体４，４が一周して繋がっている部分５（以下これを「かご胴部」ということがある。）と、かご胴部５の上に装着される蓋網体６からなる。蓋網体６を載せたかご胴部５を蓋網体が上になるように置いたときに、前面網体２、背面網体３および両側面網体４の網目構成金属線のうち水平方向に配列される金属線を「横網線」と呼び、横網線に交わっている網目構成金属線を「縦網線」と呼ぶ。そして蓋網体ではそれを構成する金属線のうち、両側面網体４，４に接する側の縁部に平行に配列される金属線を「縦網線」と呼び、この縦網線に交わる金属線を「横網線」と呼ぶ。かご胴部５の横網線９、縦網線１０および蓋網体の横網線７、縦網線８は図示している通りである。
【００１０】  階段の各段において、かごの蓋網体が階段の踏み面を、そして前面網体が階段の蹴込み板をそれぞれ構成する。図１〜３に示すようにかご１の蓋網体６において、その横網線７が蓋網体の外側（上面）に位置し、縦網線８が蓋網体の内側（下面）に位置するように配置されている。従って蓋網体６の上表面の凹凸形状（例えば山の高さ）は、横網線７の長さ方向にはほぼ一定であるに対して、縦網線８の長さ方向には大きく変化する。階段利用者の足底（履物の底）が階段の踏み面に働く力の水平分力は縦網線８の長さ方向にほぼ一致するので、踏み面で足底が受ける摩擦が大きくなり、利用者が階段で滑る事故が生じにくくなる。この横網線７の表面をあらかじめ粗面処理したり凹凸模様を付与しておいて横網線７自体の表面摩擦をさらに増加させておいてもよい。
【００１１】  踏み面となる蓋網体の網目に利用者のつま先や靴のヒールなどが引っ掛かるのを防止したり踏み心地を良くするために、蓋網体の方形網目の寸法として、上記摩擦力および製造コストも考慮して、横網線７，７同士の間隔（各線中心間の距離、図２のＸ）は１５〜４０ｍｍが好ましく、２０〜３５ｍｍが更に好ましい。そして縦網線８，８同士の間隔（図２のＹ）は５０〜１５０ｍｍが好ましい。このように横網線間隔を小さくすれば、蓋網体の横網線の本数が増加するので、蓋網体自体の強度も高まって階段利用時の蓋網体の撓み変形が少なくなるという効果も生じる。
【００１２】  かご製造工場または施工現場で、前面網体、背面網体および両側面網体の各網体を互いに連結具によって連結したり溶接したりして四角筒状のかご胴部を形成することができる。しかしこのように各網体を組み立てる代わりに、１枚の細長い形状の溶接金網を折り曲げ加工し、その両端を連結することにより強度の大きなかご胴部を容易に作成することができるで好ましい。例えば図４，５に示すように、折り曲げた溶接金網の両先端が背面網体３の中央部付近で突き合わされるようにし、締め付け具９を使用して、背面網体３の２本の縦網体１０‘、１０’を平板状金属板１１と断面がコの字状の板状金属板１２の間に挟み、２枚の金属板に開けた孔を通したボルト１３とナット１４で締め付けて２本の縦網体を強固に連結させる。
【００１３】  図１〜３において、蓋網体の複数の縦網線８の両端部は蓋網体の縁部の横網線７’、７’’よりも突出させてあり、各縦網線８の一方端部１５の先端を内側に折り曲げてＵ字形のフック１６を形成させて、前面網体の上縁部の横網線１７’に前記フック１６を係合させるようにしてある。そして突出させた蓋網体の各縦網線の他方端部１８を下向きに１５〜４０ｍｍの長さ折り曲げて、折り曲げた先端１９が背面網体３の上縁部２０を越えて背面網体外側下方に位置するようにしてある。階段を施工する際に、所定場所に置かれたかご胴部内部に中詰め材を充填した後に、蓋網体のフックを前面網体の上縁部に係合させ、その係合を保ちながら蓋網体全体をかご胴部の上に載せると、蓋網体の下向き折り曲げ部分が背面網体の上縁部に被さるようになる。これで蓋網体の水平方向へのずれやフックの外れは生じない。ついで背面網体の上縁部の横網線とそれに接する蓋網体の縁部横網線とを連結することにより蓋網体がかご胴部に強固に接続される。この連結には３〜６ｍｍ直径の金属線たとえば亜鉛合金めっき鉄線により両横網線をその長さ方向の２〜３箇所で結束するか、またはよく知られている連結用コイル２０が好ましく用いられる。
【００１４】  連結用コイルとしては、３〜６ｍｍ直径のめっき金属線例えば亜鉛合金めっき鉄線を３〜６ｃｍの直径の螺旋状に巻いた長さ４０〜１２０ｃｍのものを使用することができる。連結用コイルは蓋網体・背面網体の縁部の両横網線の５０％〜１００％の長さで取り付けられる。
【００１５】  なお蓋網体のフックを前面網体上縁部に掛ける際に、並んでいるフックの一方端のフックのみが係合されにくくなる場合には、その一方端のフックを予めわずか内側に曲げてそのフックの間隔を短くしておくことにより、フックの全数を前面網体の上縁部に係合させることができる。
【００１６】  上記の蓋網体の縁部のＵ字形のフックを設けることが最も好ましいが、その代わりに、例えば、他方の縁部に設けた下向き延長部と同様の延長部を設けることもできる。ただしこの場合は、蓋網体の前縁部と前面網体の上縁部を金属線または連結用コイルのような連結具を用いて連結する必要がある。
【００１７】  １組のかごは、図１で１５〜３０ｃｍの高さＨ、７０〜１６０ｃｍの巾Ｌおよび３０〜４０ｃｍの奥行きＷを有する。
階段は段状に傾斜地の所定場所を削って整地して階段設置面を形成する。この階段設置面には図６に示すように、それぞれ水平壁２５と垂直壁２６を有する複数の段２７が形成される。それそれの段において、垂直壁の高さ（段高さ）Ｈ’はかごの高さＨにほぼ等しく、水平壁の巾（段奥行き）Ｗ’はかごの奥行きＷにほぼ等しく、そして水平壁および垂直壁の長さＬ’はかごの巾Ｌにほぼ等しくなるようにする。
【００１８】  そして図７に示すようにかごをその背面網体３が階段設置面の垂直壁２６に、そしてかご胴部５の下部が階段設置面の水平壁２５に接するように配置される。下段に置かれたかごとその一段上に置かれたかごとは下のかごの背面の上縁２８と上の蓋網の前面の下縁２９とがほぼ接するようになる。蓋網体は階段の踏み面となり、前面網体が階段の蹴込み板となる。かごは設置地面の水平部分の上に載せられているので、中詰め材を充填し蓋網体を装着したかごの重量および階段が利用される際にかかる外力は、階段の各段毎に設置面の水平壁に働く。従って隣接するかご同士を互いに連結する必要はない。
かご胴部の底には底面網が設けられていないので、充填した中詰め材が地面と直接になじみよく接することになり、設置後のかごが横ずれを生じるおそれが小さくなる。なお、かごの巾Ｌが長くたとえば１２０ｃｍ以上であって、設置中または設置後に前面網体の中央付近が前方に張り出すように変形するおそれがある場合には、中詰め材充填前に、鉄線たとえば亜鉛合金めっき鉄線からなる水平梁を前面網体と背面網体の間に、水平梁の両端が前面網体および背面網体の網線に連結するように架け渡すことにより上記変形を防止できる。
【００１９】  階段設置地の傾斜勾配の値によっては、階段の隣接する各かごが部分的に重なったり、各かごが隔てられる場合がある。例えば、傾斜勾配がかごの寸法によって決まる値よりも大きいときには、図８の（ａ）に示すように上段のかごの下縁部が下段のかごの蓋背面網体の位置よりも前方に位置して両かごが重ねられたり、図８の（ｂ）に示すように上段のかごの下縁部が下段のかごの蓋網体の位置よりも上方に位置して両かごの間の距離が隔てられる。逆に傾斜勾配が小さいときには、図８の（ｃ）に示すように上段のかごの下縁部が下段のかごの蓋網体の位置よりも下方に位置して両かごが重ねられたり、図８の（ｄ）に示すように上段のかごの前面網体が下段のかごの背面網体の位置よりも後方に位置して両かごの間の距離が隔てられる。この重なりの距離および隔たりの距離があまり大きくなると、耐久性が低下したり、工事費用が上昇する原因にもなるので、この距離Ｙ１．Ｙ２、Ｔ１、Ｔ２は５０ｍｍ以下になるように設計、工事することが好ましい。
【００２０】  階段を施工する傾斜地は、図６に示すように、かご胴部が置かれる位置を段状に削って整地されるが、その後に図９に示すようにかご胴部が置かれる地面の上にあらかじめ吸出し防止シート３０を敷設することが好ましい。吸出し防止シートとしては、例えば耐水性、耐候性、耐腐食性に優れた合成繊維で形成された不織布であり、河川護岸の吸い出し防止や洗掘防止に広く使用されているものを挙げることがきる。吸出し防止シートの設置により階段のかごの中詰め材が基礎地盤の方へしみ出るのを防止したり、かごの中詰め材の間隙を通過した雨水により基礎地盤の土が侵食されるのを防止する。
【００２１】  次に本考案の階段を現地で施工する工程を説明する。
まず、高所または高台に通じる傾斜地の地面の表面を削って図６に示すように階段の基礎地盤を形成する。そして図９に示すようにその上に段差に沿って吸出し防止シート３０を敷設する。なお吸出し防止シートは地面に密着して置かれるが、図では吸出し防止シートを地面から離した状態を表示している。そして図１０に示すように各段にそれぞれかご胴部５を置き、その中に土石材からなる中詰め材３１を充填する。中詰め材としては石、砂、土などが使用されるが、かご胴部の網目を容易に通過しない大きな石材はそのまま充填し、それよりも小さく例えば目開き４７６０μｍよりも大きな砂は、図１１，１２に示すように網目の小さな金網例えば４メッシュの亜鉛合金めっき鉄線製の溶接金網３２をかご胴部に内張りした後に充填し、そして４７６０μｍよりも小さい砂、土の場合は植生シートを同様にかご胴部に内張りした後に充填する。これらの内張りは、かご胴部の内法寸法に合わせた網目の小さな金網または植生シートを折り曲げて形状を整わせ、それを胴部内面に沿わせて配置することにより行う。植生シートを使用した場合は、階段の蹴り込み板部分および側面部分の緑化に役立つ。また内張りに代えて土嚢の形にして中詰め材を詰めることもできる。
【００２２】  充填が終われば、各段について、かご胴部の上に蓋網体をそのフック部分が前面網体の上縁部に係止するようにして載せる。そして背面網体の上縁部と蓋網体の後縁部とをこの各縁部の両横網線を連結用コイルが取り囲むように連結用コイルを回転させながら進入させることにより背面網体の上縁部と蓋網体縁部とを連結する。進入させる作業が例えば進入の空間が不十分であるという理由で困難な場合は、上述の金属線により結束する。これによって階段が完成する。
【００２３】  以上は避難用の階段について説明したが、本考案は避難用の階段以外に、登山道、山道、神社寺院の参道などの通路のための階段にも利用できる。
【実施例】
【００２４】  以下にかごの材料、寸法、施工地の整地状況などを示す。
かご――高さ２０ｃｍ、幅９０ｃｍ、奥行き３２ｃｍ
前面網体および背面網体――それぞれ寸法２０ｃｍ×９０ｃｍ、両側面網体――それぞれ寸法２０ｃｍ×３２ｃｍ、蓋網体――寸法３２ｃｍ×９０ｃｍ、網目寸法
前面網体、背面網体および両側面網体――いずれも１００ｍｍ×１００ｍｍ、蓋網体――３０ｍｍ×１００ｍｍ
網線材――直径６ｍｍの亜鉛アルミニウム合金めっき鉄線、
中詰め材――直径約１２０ｍｍの玉石
かご胴部――１００ｍｍ×１００ｍｍの網目寸法を有する上記網線材の１枚の金網（寸法２０ｃｍ×２４４ｃｍ）を折り曲げ加工し、その両端を図５に示す締め付け具で連結固定して前面網体、背面網体および両側面網体からなる一体化したかご胴部を形成した。
連結コイル――直径４ｍｍの亜鉛アルミニウム合金めっき金属線、螺旋直径（内法）３２ｍｍ、長さ９０ｃｍ
施工地の段形成――各段の垂直壁の高さ（段高さ）２０ｃｍ、水平壁の巾（段奥行き）３２ｃｍ、水平壁の巾（段奥行き）９０ｃｍ、吸出し防止シートを使用。
階段段数――１０段
【符号の説明】
【００２５】１・・かご。２・・前面網体。３・・背面網体。４・・側面網体。５・・かご胴部。６・・蓋網体。７・・蓋網体の横網線。８・・蓋網体の横網線。９・・かご胴部の横網線。１０・・かご胴部の縦網線。１１・・平板状金属板。１２・・コの字状の板状金属板。１３・・ボルト。１４・・ナット。１５・・蓋網体の縦網線の一方端部。１６・・Ｕ字形のフック。１７’・・前面網体の上縁部の横網線。１８・・蓋網体の縦網線の他方端部。１９・・蓋網体の縦網線の他方先端。２０・・連結用コイル。２５・・水平壁。２６・・垂直壁。２７・・段。２８・・下段かご背面の上縁。２９・・上段かご前面の下縁。３０・・吸出し防止シート。３１・・中詰め材。３２・・網目の小さな溶接金網。
【図１】
0003195793.tif 000003
【図２】
0003195793.tif 000004
【図３】
0003195793.tif 000005
【図４】
0003195793.tif 000006
【図５】
0003195793.tif 000007
【図６】
0003195793.tif 000008
【図７】
0003195793.tif 000009
【図８】
0003195793.tif 000010
【図９】
0003195793.tif 000011
【図１０】
0003195793.tif 000012
【図１１】
0003195793.tif 000013
【図１２】
0003195793.tif 000014